(57)【要約】【課題】炭火焼コンロ内を温度調節を可能とし、炭火の熱を効率的に放散できるようにし、串に刺した具材の油分が炭火に落ちて煙が出ることのないような構成とする。【解決手段】複数の空気流入孔を有する本体と、空気流入孔に嵌着自在な栓と、底面に通気孔が形成され外面に鍔部が複数突設された炉と、本体の上部に取り付けて開口を閉鎖する蓋とからコンロを構成する。炉を本体に装着すると炉の鍔部で本体内が複数の空間に仕切られ、各空間個別に空気流入量を調整し温度調節が可能となる。本体と蓋の表面には放熱板を一体に突設して熱を効率的に放散させる。串に刺した魚などを焼くときは、串を支持する支持面部と、水が溜まる凹面部と、上向きに傾斜した受面部とを一体に連ねた串支持体を取り付け、魚などの油分を凹面部内の水の中に流し落ちるようにし、油分が炭火に落ちて煙が出るのを防止する。【選択図】図１
2005312672.tif 000002
【特許請求の範囲】
【請求項１】
側面に空気流入孔が適宜な間隔を開けて複数形成された上部が開口した箱状の本体と、
前記空気流入孔に嵌着自在な棒状の栓と、
底面に複数の通気孔が形成されているとともに底面から両側面に亘る外面に前記本体内面に接合する鍔部が複数突設されていて前記本体内に着脱自在な上部が開口した箱状の炉と、
炉が装着された本体の上部に取り付けて本体の上部開口を閉鎖する蓋とを備えてなり、
前記炉の鍔部で本体内が複数の空間に仕切られ且つ炉の外面と本体内面との間で適宜な間隙を確保して炉が本体内に装着されるとともに、前記仕切られた各空間と通ずる空気流入孔で各空間個別に空気流入量を調整し得るように形成されたことを特徴とする炭火焼コンロ。
【請求項２】
本体の外面と蓋の上面とに、複数の放熱板が一体に突設されてなる請求項１に記載の炭火焼コンロ。
【請求項３】
本体の上部に着脱自在であって、本体の上部周縁で串を本体内方に向けて支持する支持面部と、支持面部の下方で水を溜めておくことができる凹面部と、凹面部の縁部から上向きに傾斜して本体内方へ突出した受面部とを有して枠状に形成された串支持体を備えてなる請求項１又は２に記載の炭火焼コンロ。
【発明の詳細な説明】
【技術分野】
【０００１】
本発明は、肉や魚などの具材を串刺しにして炭火で加熱調理するのに好適な炭火焼コンロに関する。
【背景技術】
【０００２】
肉や魚を炭火で加熱すると、木炭から発せられる遠赤外線及び近赤外線が肉や魚の旨みを逃さず、こんがりとおいしく焼き上げることができる。そのため、家庭でも簡単に炭火焼きができるよう、木炭、木炭を入れるコンロ、コンロの上に設置する金網、火起こし器及び火消しつぼをセットにした、卓上の炭火焼コンロが販売されている。
また、コンロの底部に水を溜めておく部分を設け、炭火で加熱された肉や魚から出る油分を串からコンロの表面を伝い溜めた水に滴下させて、油分が炭火の上に落ちて燃焼し煙が出るのを防止し、同時にコンロの底部に溜めた水が炭火の熱を吸収することで、コンロを床上や食卓に置いて利用できるようにした構造の炭火焼コンロも利用されている（例えば特許文献１、２参照）。
【０００３】
【特許文献１】実公平４−２８５１３号公報
【特許文献２】実開平６−１０７０３号公報
【発明の開示】
【発明が解決しようとする課題】
【０００４】
従来利用されている炭火焼コンロは、何れのもの炭火の温度を調節する機能はなく、金網に載せ或いはコンロ上方に串刺しに置いた肉や魚を、コンロ内の一様な火加減の炭火で焼くものであった。例えば調理する肉の種類や部位、大きさなどによっては、同じ加熱温度でも焼き加減は異なることから、予めコンロ内に入れる木炭の大きさや個数を調整するなどして、コンロ上で炭火の強い部分と弱い部分を設けておき、肉の焼き加減の状態を見ながら、随時、炭火の強い部分と弱い部分とで肉の位置を入れ替えたり炭火の真上位置からずらしたりして焼くようにしていた。
また、コンロの底部に水を溜めておけるものは、水で炭火の熱を遮断してコンロを食卓に置くことができるが、コンロの周辺部には炭火の熱が直に伝わって熱くなり、調理後、食卓からコンロを片付ける際には、コンロが冷めるまで長い時間待たなければならず、取扱いの便宜のよいものではなかった。
【０００５】
本発明は従来技術の有するこのような問題点に鑑み、肉や魚などを炭火で加熱調理する炭火焼コンロにおいて、コンロ内に収納される木炭の大きさや量によらずに、コンロ内で炭火の火力を調節して、火力の強い部分と弱い部分をつくりだすことができ、また、コンロの周辺部から炭火の熱を効率的に放散させて、調理後はコンロ全体を速やかに冷却させることができるようにすることを課題とする。
【課題を解決するための手段】
【０００６】
前記課題を解決するため本発明の炭火焼コンロは、側面に空気流入孔が適宜な間隔を開けて複数形成された上部が開口した箱状の本体と、前記空気流入孔に嵌着自在な棒状の栓と、底面に複数の通気孔が形成されているとともに底面から両側面に亘る外面に前記本体内面に接合する鍔部が複数突設されていて前記本体内に着脱自在な上部が開口した箱状の炉と、炉が装着された本体の上部に取り付けて本体の上部開口を閉鎖する蓋とを備えてなり、前記炉の鍔部で本体内が複数の空間に仕切られ且つ炉の外面と本体内面との間で適宜な間隙を確保して炉が本体内に装着されるとともに、前記仕切られた各空間と通ずる空気流入孔で各空間個別に空気流入量を調整し得るように形成されたことを特徴している。
前記構成において、本体の外面と蓋の上面には、複数の放熱板が一体に突設してあることが好ましい。
また、前記構成に、本体の上部に着脱自在であって、本体の上部周縁で串を本体内方に向けて支持する支持面部と、支持面部の下方で水を溜めておくことができる凹面部と、凹面部の縁部から上向きに傾斜して本体内方へ突出した受面部とを有して枠状に形成された串支持体を組み合わせて、串刺しした肉や魚を焼くことができる。
【０００７】
本発明の炭火焼コンロによれば、炉の外面に本体内面に接合する鍔部が適宜な間隔を開けて複数設けてあり、本体内に炉を装着したときに、各鍔部が本体内面に沿ってぴったりと接合し、本体内は複数の空間に区画される。各空間には、本体側面に形成された空気流入孔が各々連通しているので、各空気流入孔の栓で本体内への空気の流入量を調整することで、空間に面する炉の底面の通気孔から炉内に流入する空気の量が各空間個別に調整され、これにより炉の炭火の火力を前記各空間毎で調節し、温度調節することができる。
また、本体の外面に複数枚の放熱板が一体に突設してあるので、これら放熱板を通じて本体内の熱が本体周辺に効率的に放散され、また、蓋の表面にも放熱板を設けてあるので、調理後、本体に蓋を被せて炭火を鎮火してから本体内に残る熱は、本体外面と蓋表面に設けた放熱板を通じて速やかに放散され、コンロを短時間で冷ますことができる。
さらに、炉を装着した本体に前記構成の串支持体を取り付けて、串刺しにした肉などを串支持体で炉の上方に保持して焼くことができる。串刺しにした肉などを焼いている間、具材からでる油分は、具材の表面、串、受面部を伝って水を溜めた凹面部内に流れ落ちるので、油分が炭火に直接に落ちて煙が出ることはない。
【発明を実施するための最良の形態】
【０００８】
本発明の好適な一実施形態を図面を参照して説明する。
図１は、本発明の一実施形態の炭火焼コンロの構成を示しており、図中、符号１は本体、２は栓、３は炉、４は蓋、５は串支持体である。これら各部材は、例えば珪藻土などの断熱性に優れた材料を用いて形成することができる。
【０００９】
本体１は、平面視矩形の底面部１１の周囲に短手辺側面部１２、１２と長手辺側面部１３、１３を立ち上げ、上部を矩形に開口した深底の箱状に形成してある。短手辺側面部１２、１２の上端には持ち運び用の取手１４、１４を水平に突出させてあり、また、同部下端には脚部１５、１５を下方に突出させ、本体１を食卓などに置いたときに、脚部１５、１５で底面部１１を接地面から適宜な高さに支持して、底面部１１から接地面に直に熱が伝わらないように設けてある。
また、短手辺側面部１２、１２と長手辺側面部１３、１３の外面には、適宜な突出幅で縦に伸びた複数枚の放熱板１６が適宜な間隔を開けて一体に突設してあり、これら放熱板１６を通じて本体１内部の熱が放散されるようにしてある。
さらに、一側の長手辺側面部１３の下側には、当該長手辺に沿った中央と両側の三箇所の位置に、それぞれ長手辺面を貫通した適宜な大きさの空気流入孔１７を設けてある。
なお、本体１の上部開口の短手幅は、長手辺側面部１２、１２の上端間に焼き鳥の串などを載せておくことができる１５ｃｍ程度の寸法に設定してある。
【００１０】
栓２は、一側が空気流入孔１７の開口径よりも細く、他側が前記開口径よりも太い、適宜な長さを有する先細りの棒状体であり、細い側の端部から空気流入孔１７に押し入れ、押し入れる量を変えて空気流入孔１７の内周面と栓２の表面間の隙間の間隔を変えることで、空気流入孔１７から本体１内に流入する空気の量を調節することができるようになっている。また、栓２を、その表面が空気流入孔１７の内周面に圧接するまで一杯に押し込んだ状態で、空気流入孔１７は栓２で閉塞され、空気の流入は遮断されるようになっている。
【００１１】
炉３は、本体１よりも小さな有底箱状に形成されており、本体１の上部開口から本体１内に着脱し得るように設けてある。
詳しくは、炉３は、平面視矩形の底面部３１の周囲に短手辺側面部３２、３２と長手辺側面部３３、３３を立ち上げて上部を矩形に開口し、短手辺側面部３２、３２の上端に持ち運び用の取手３４、３４を水平に突出させて形成してある。また、図２に示されるように、底面部３１には、短手方向に延びた複数のスリット状の通気孔３５が形成されており、これら通気孔３５を通して、炉３内に空気を流入できるようになっている。
さらに、底面部３１から両長手辺側面部３３、３３に亘る外面には、鍔部３６、３６が一体に突設してある。両鍔部３６、３６は、炉３を本体１内に装着したときに、それぞれ外周面が本体１の底面部１１から両長手辺側面部１３、１３に亘る内面にぴったりと接合する形状及び寸法に設けられている。従って、炉３を装着した状態で、鍔部３６、３６が本体１の内面に当接して炉３の底面部３１は水平に支持されるとともに、炉３の外周面と本体１の内面の間には鍔部３６の突出幅分の間隙が確保され、また、本体１内が鍔部３６、３６により三つの隔絶した空間部に仕切られるようになっている（図３参照）。なお、鍔部３６、３６は、炉３を本体１内に装着した状態で、隣接する空気流入孔１７、１７の間に鍔部３６が配される位置に設けてある。
【００１２】
蓋４は、本体１の開口上縁よりも若干大きな蓋面部４１の下部に段部４２を一体に設け、本体１の上部開口を閉鎖可能な矩形板状に形成されている。蓋４は、本体１の上面に着脱自在となっており、内部に炉３が装着された本体１の上面に被せたときに、段部４２が開口面内に没入するとともに蓋面部４１が本体１の上端に接合して、本体１の上部開口を閉塞するようになっている。
また、蓋面部４１の上面には、長手辺方向に延びた複数の放熱板４３が一体に突設してあり、加熱調理後、本体１に蓋４を被せたときに、これら放熱板４３を通じて本体１内部の熱が放散されるようにしてある。
【００１３】
串支持体５は、本体１の上部開口の周縁に係合する段部５２を下部に有し、前記開口に沿った矩形リング状をなす枠体５１の内側面縁部に、図４に示されるように、本体１の上部周縁で串を本体１の内方に向けて支持する支持面部５３と、支持面部５３の下方で水を溜めておくことができる凹面部５４と、凹面部５４の縁部から上向きに傾斜して本体内方へ突出する受面部５５とを一体に連ねて形成してある。串支持体５は、本体１の上端に着脱自在となっており、前記段部５２を本体１の開口縁部に係合させて、本体１上に安定的に取り付けられるようになっている。また、支持面部５３は内方に下り傾斜してなり、その表面には、太さの異なる串を支持できるよう、大、中、小と径の異なる串支持穴５３ａが複数形成してある。
【００１４】
本形態の炭火焼コンロは、これらの部材により構成されており、以下の手順で肉や魚を調理することができる。
先ず、炉３の中に適宜な量の炭Ｃを入れ、木炭に着火する。着火は、木炭を入れた炉３をガスレンジの五徳の上に鍔部３６、３６を置いて載せ、ガスで火をつければ、底面部３１の通気孔３５から炉３内にガスの火が進入し、炭に火を起こすことができる。
【００１５】
炉３内の炭に火がついたならば、炉３を本体１の内部に装着する。炉３を本体１に装着すると、炉３の鍔部３６、３６が本体１の内面にぴったりと接合し、図３（Ａ）に示されるように、両鍔部３６、３６で本体１内は、〔Ａ〕、〔Ｂ〕、〔Ｃ〕の三つの空間に区画される。従って、各空間に通ずる空気流入孔１７で栓２の差し込み具合を調整し、各空気流入孔１７から本体１内に流入する空気の量を調整することで、各空間個別に炭火の強さを調節し、加熱温度をコントロールすることができる。
【００１６】
炉３を本体１に装着したならば、本体１の長手辺側面部１３、１３の上端部間に串刺しにした肉や魚などの具材Ｉを架け渡し、炭火で焼くことができる。本体１の開口部上に金網を載せ、金網に具材を載せて焼いてもよい。
なお、この場合、加熱された肉や魚から出る油分が炉３内に落ちて炭火で燃え、煙が出るが、本体１を五徳を跨ぐようにしてガスレンジ上に設置し、つまり換気設備のあるところにコンロを置いて焼くようにすれば、室内に煙がこもったり臭いが充満したりすることはない。
【００１７】
また、アジやホッケ、トウモロコシなどの、本体１の長手辺側面部１３、１３の上端部間よりも長い具材Ｉを焼くときは、図４に示されるように、本体１の上端に串支持体５を設置し、串支持体５で串刺しにした具材Ｉを支持して焼くことができる。
この場合、串支持体５の凹面部５４に水を溜めておけば、支持面部５３により具材Ｉが刺さった串が本体１上で傾斜状態で支持されるので、同図（Ｂ）に示されるように、魚などの具材Ｉから油分出る油分は、受面部５５を伝って凹面部５４の水に流れ落ち、油分が炭火上には滴下せず、煙が出ることもない。また、支持面部５３には大きさの異なる串支持穴５３ａが設けてあるので、細い木製の串から金属製の串、箸のように太い串に刺したものまで、支持面部５３で支持して焼くことができる。
【００１８】
調理が終わったならば、炭火を鎮火させ、コンロを片付ける。炭火の鎮火は、図６に示されるように、各空気流入孔１７に栓２を強く押し込んで空気流入孔１７を閉塞するとともに、本体１の上部に蓋４を装着して開口部を閉鎖し、本体１内を密閉状態にして行うことができる。この際、本体１の外面と蓋４の表面に放熱板１６、４３が複数突設してあるので、本体１内に残る熱は、これら放熱板１６、４３を通じて速やかに放散されてコンロが短時間で冷まされ、片付けも短時間で済ますことができる。
【００１９】
なお、図示した炭火焼コンロの形態は一例であり、本発明は他の適宜な形態に構成可能なものである。本体の空気流入孔や炉の鍔部はコンロの大きさ形状に応じて適宜な箇所に適宜な個数を設けることができる。
【図面の簡単な説明】
【００２０】
【図１】本発明の一実施形態の炭火焼コンロの構成部材を分離して示した外観図である。
【図２】図１の炉の底面側の外観図である。
【図３】本体内に炉を装着した状態の平面図（Ａ）と同図のIII−III線に沿った断面図（Ｂ）である。
【図４】本体に串支持体を装着した状態の外観図（Ａ）と調理している状態でのコンロの断面図（Ｂ）である。
【図５】本体に蓋を装着した状態の外観図（Ａ）とコンロの断面図（Ｂ）である。
【符号の説明】
【００２１】
１  本体、２  栓、３  炉、４  蓋、５  串支持体、Ｃ  炭、Ｉ  具材
【図１】
2005312672.tif 000003
【図２】
2005312672.tif 000004
【図３】
2005312672.tif 000005
【図４】
2005312672.tif 000006
【図５】
2005312672.tif 000007